(57)【特許請求の範囲】
【請求項１】
容器の口部にキャップを打栓して容器を密封してなる蓋付容器であって、
前記容器口部の内側壁に傾斜カムを設けると共に、前記キャップは天面壁と該天面壁の周
縁から垂下するスカート壁とからなり、天面壁内面には該容器口部の内周面に密接するイ
ンナーリングが垂下し、その更に内方側には前記傾斜カムに対応した位置にリブを設けてなり、前記キャップを開栓方向に回すことで、前記傾斜カムの傾斜面に前記リブを干渉させて、前記容器口部から前記キャップを開栓させ得るようにしたことを特徴とする蓋付容器。
【請求項２】
前記容器の口部の外周端部に突起部を有しない請求項１記載の蓋付容器。
【請求項３】
前記容器口部の内面には、前記インナーリングが密接する上部内周面、前記上部内周面の下端から内方側に延びる第一段部、前記第一段部より下方に延びる中間内周面、前記中間内周面より内方側に延びる第二段部が形成されており、前記第二段部に前記傾斜カムが形成されている請求項１または２記載の蓋付容器。
【請求項４】
前記傾斜カムの最高位と最低位との軸方向高さ（Ｈ）は、前記容器の口部における前記
キャップの前記天面壁内面から前記インナーリングの外周面の最大外径部までの軸方向長
さ（Ｌ）より大である請求項１ないし３のいずれか１項記載の蓋付容器。
【発明の詳細な説明】
【技術分野】
【０００１】
本発明は、容器の口部にキャップを打栓して容器を密封してなる蓋付容器に関し、より
詳しくは、容器の口部の外周縁に外方に張り出したキャップ密封用の係止部がなくても、
容器とキャップの密封が確実に行なわれ、かつ、キャップの開封に際しては、キャップ外
周を反時計方向に回動するだけで、スムースな開蓋が行なわれ、かつ、容器口部の外周縁
に外方に張り出した係止部がないために、あたかも、コップで飲料を飲むが如き口当たり
の良い感覚で飲料を飲むことができる蓋付容器に関する。
【背景技術】
【０００２】
従来の蓋付容器として、例えば、１８０ｃｃの日本酒を収容したガラス製広口容器の口
部に、簡易開封可能なキャップを密封したものが知られている。この蓋付容器は、口部が
広いため、日本酒などの飲み物を飲むのに都合が良いために広く流通している。しかしな
がら、この蓋付容器は、打栓密封作業が確実に行なわれ、かつ、簡易に開封出来る、とい
う相反する機能が同時に要求されるものであり、例えば、下記特許文献１記載のものが知
られている。
【特許文献１】特開平６−２１１２６０号公報
【０００３】
この特許文献１に係る蓋付容器は、図６、７に示すように、コップ状の容器５０の口部
５１に金属薄板のキャップ５２を打栓して密封したものであり、このキャップ５２は、天
面壁５３と、その周縁から垂下するスカート壁５４と、このスカート壁５４の下端から延
出している把持片５５とを含んでいる。そして、スカート壁５４には、周方向に所定間隔
をおいて軸方向に延びる、切欠５６ａとこれに続くスリット５６ｂとを有する複数の破断
ライン５６が形成され、さらに、スカート壁５４には、周方向に延在する補強変形部５７
が形成されている。
【０００４】
上記特許文献１の蓋付容器は、補強変形部５７があることにより、キャップ５２のスカ
ート壁５４が変形せず、容器５０の口部５１にキャップ５２を打栓密封する作業が容易と
なり、同時に密封保持性も確保され、補強変形部５７があることによる開封力の増大は僅
かであるから、簡易開封性も確保できるものである。
【発明の開示】
【発明が解決しようとする課題】
【０００５】
しかしながら、上記特許文献１の蓋付容器は、打栓密封作業が容易に出来且つその密封
保持性も確実であるのに簡易に開封出来る、という相反する機能を兼ね備えているものの
、コップ状の容器５０には、口部５１の上端外周面に密封保持性のための突起部である玉
縁５８が形成されてるために、キャップ５２の開封後、飲料物である日本酒などを飲む際
、どうしても玉縁５８が口に当たり官能的に飲みにくいという問題がある。ところが、こ
の容器口部５１の上端外周面にある玉縁５８をなくすと、密封保持性が確保できないこと
になる。
【０００６】
そこで、本発明の目的は、飲料物を官能的に飲み易いものでありながら、嵌合密封作業
が容易且つその密封保持性も確実で、しかも、容易に開封することが出来る蓋付容器を提
供することにある。
【課題を解決するための手段】
【０００７】
本発明は、上記目的を達成するために提案されたものであって、下記の構成からなるこ
とを特徴とするものである。
すなわち、本発明によれば、容器の口部にキャップを打栓して容器を密封してなる蓋付
容器であって、前記容器口部の内側壁に傾斜カムを設けると共に、前記キャップは天面壁
と該天面壁の周縁から垂下するスカート壁とからなり、天面壁内面には該容器口部の内周
面に密接するインナーリングが垂下し、その更に内方側には前記傾斜カムに対応した位置にリブを設  けてなり、前記キャップを開栓方向に回すことで、前記傾斜カムの傾斜面に前記リブを干渉させて、  前記容器口部から前記キャップを開栓させ得るように
したことを特徴とする蓋付容器が提供される。
【０００８】
また、本発明によれば、前記容器の口部の外周端部に突起部を有しない上記蓋付容器が
提供される。
【０００９】
また、本発明によれば、前記容器口部の内面には、前記インナーリングが密接する上部
内周面、前記上部内周面の下端から内方側に延びる第一段部、前記第一段部より下方に延びる中間内周面、前記中間内周面より内方側に延びる第二段部が形成されており、前記第二段部に前記傾斜カムが形成されている上記蓋付容器が提供される。
【００１０】
また、本発明によれば、前記傾斜カムの最高位と最低位との軸方向高さ（Ｈ）は、前記
容器の口部における前記キャップの前記天面壁内面から前記インナーリングの外周面の最
大外径部までの軸方向長さ（Ｌ）より大である上記蓋付容器が提供される。
【発明の効果】
【００１１】
本発明の蓋付容器は、容器口部にスカート壁とインナーリングとの間に嵌合して容器を
密封しているキャップを、開栓方向（反時計方向）に回すと、密封状態のままキャップが
容器口部上をスライドして、キャップのリブが容器口部に設けてある傾斜カムの傾斜面上
に当たり、さらにその上を摺動して、傾斜カムの傾斜面に従いリブによりキャップが上昇
し容器口部から徐々に離れ、遂には容器口部から外れ開栓する。したがって、容器口部が
スカート壁とインナーリングとの間により嵌合密封されるから、密封のための容器口部の
構造に自由度が増して飲料物を官能的に飲み易い形状にすることが可能となり、その上、
打栓密封作業が容易且つその密封保持性も確実で、しかも簡易に開封することが出来る効
果がある。
【００１２】
また、本発明の蓋付容器は、キャップを開封した後、容器内の飲料物を飲む際、容器口
部の外周端部に突起部に当たること無く口を付け得るために、上記効果に加えて、特に飲
料物を官能的に飲み易くする効果がある。
【００１３】
また、本発明の蓋付容器は、容器口部の上部内周面がインナーリングと密接して密封保
持性を担保し、且つ第二段部の傾斜カムがキャップのリブと干渉して簡易開封を担保して
いる。したがって、上記効果に加えて、容器側における密封保持性及び簡易開封の役割分
担を明確にすることで、これらの役割をより確実にする効果がある。
【００１４】
また、本発明の蓋付容器は、キャップを開栓方向に回し、傾斜カムの傾斜面に従いリブ
によりキャップを上昇させて、インナーリングの外周面の最大外径部を容器口部の上端面
より上になるまでキャップを上昇させれば、容器口部から僅かな外力により外れ開栓出来
る。
【発明を実施するための最良の形態】
【００１５】
以下に、図面を参照して本発明を実施するための最良の形態を説明する。
【実施例１】
【００１６】
図１は本発明の実施の形態を示す蓋付容器の縦断面図、図２は図１の蓋付容器における
容器の平面図、図３は図１の蓋付容器におけるキャップの半裁縦断面図、図４は図３のキ
ャップの底面図である。図面において、蓋付容器１は、容器２の口部３にキャップ４を打
栓して容器２を密封するものであり、容器口部３の内側壁に傾斜カム５を設けると共に、
キャップ４は天面壁６と該天面壁６の周縁から垂下するスカート壁７とからなり、天面壁
６内面には容器口部３の上部内周面１０に密接するインナーリング８が垂下し、その更に
内方側には傾斜カム５に対応した位置にリブ９を設けてなり、キャップ４を開栓方向に回
すことで、傾斜カム５の傾斜面５ａにリブ９を干渉させて、容器口部３からキャップ４を
開栓させ得るようにしたものである。
【００１７】
前記容器２としては、酒、乳飲料、コーヒー飲料、果汁飲料など飲料物を充填出来るも
のであり、且つ容器２の口部３にキャップ４を液密に打栓出来るものであれば、形状など
に特に限定がない。容器２の材質は、主に合成樹脂やガラスであるが、これにも特に限定
がない。しかしながら、容器２内の飲料物の飲み易さの観点からは、容器口部３が広口で
あるのが望ましく、その上、容器口部３の外周端部３ａに突起部を有しないものが特に望
ましい。容器口部３の外周端部３ａに突起部がないと、キャップ４を開封して容器２内の
飲料物を飲む際、突起部に当たること無く容器口部３の外周端部３ａに口を付け得るから
、飲料物を官能的に飲み易くなる。
【００１８】
そして、容器口部３内面には、前記インナーリング８が密接する上部内周面１０、上部
内周面１０の下端から内方側に延びる第一段部１１、第一段部１１より下方に延びる中間内周面１２、中間内周面１２より内方側に延びる第二段部１３が形成されており、実施例１では、この第二段部１３に前記傾斜カム５が４個形成されているが、傾斜カムの数はそれに限定されるものではない。
【００１９】
前記キャップ４は、既述のとおり、容器口部３に打栓されて容器２を密封するものであ
り、天面壁６とその周縁から垂下するスカート壁７とからなる。天面壁６の内面からイン
ナーリング８が垂下し、スカート壁７とインナーリング８と両者間の天面壁６とで容器口
部３との嵌合部２０を構成している。なお、インナーリング８の外周面にリング状凸部２
１が形成され、さらに、スカート壁７の内周面にもリング状凸部２２が形成されて、これ
らリング状凸部２１及び２２により、容器口部３に打栓された際の密封保持性をより一層
高めている。なお、容器口部３に打栓されたキャップ４は、その状態で少なくとも開栓方
向に回転可能であることが必要であり、その手助けをするため、そのスカート壁７の外周
面にはすべり止め２３が形成されている。また、キャップ４の材質は合成樹脂が採用される。
【００２０】
上記インナーリング８のさらに内方側には、前記傾斜カム５に対応した位置にリブ９が
４個設けられている。このリブ９の先端部が傾斜カム５の傾斜面５ａによって干渉される
ことにより、傾斜面５ａに従いリブ９が上昇して、それに伴いキャップ４も上昇し容器口
部３から徐々に離れて、遂には容器口部３からキャップ４が外れ、開栓し得るようにする
ものである。なお、リブ９の先端部に丸み部９ａを設けて、傾斜カム５の傾斜面５ａ上に
当接し摺動する際、スムーズに行くようにしている。また、この実施例では容器口部３側
の傾斜カム５及びキャップ４側のリブ９を同数の４個としたが、必ずしも同数でなくても
良く、さらに個数も１個以上あれば良い。傾斜カム５の形状としては、例えば、第二段部
１３から開栓方向側で上方に傾斜して延びる傾斜面５ａと傾斜面５ａの上端から下方に延
びて第二段部に至る垂直面５ｂからなる。
【００２１】
なお、リブ９の先端部が傾斜カム５の傾斜面５ａ上に当接し摺動して行き、最終的に容
器口部３からキャップ４が外れ開栓し得るには、図５に示すように、傾斜カム５の最高位
と最低位との軸方向高さ（Ｈ）が、容器口部３おけるキャップ４の天面壁６内面からイン
ナーリング８の外周面の最大外径部、すなわち、前記リング状凸部２１のトップ面までの
軸方向長さ（Ｌ）より大であることが必要である。これにより、キャップ４を開栓方向に
回し、傾斜カム５の傾斜面５ａに従いキャップ４を上昇させて、インナーリング８の外周
面のリング状凸部２１のトップ面２１ａを、容器口部３の上端面３ｂより上になるまでキ
ャップ４を上昇させれば、容器口部３から僅かな外力により外れ開栓出来ることになる。
【００２２】
次に、図面を参照して、上記構成になる蓋付容器１の使用について説明する。
まず、容器２内に飲料物を充填した後、容器口部３にキャップ４の嵌合部２０をあてがい打栓して、容器２を密封する。その際、容器２を密封した状態で口部３上をキャップ４が少なくとも開封方向に回転できる状態になっていることが必要であり、必要に応じて蓋付容器１を包装することによって、いたずらによる開封を防止することができる。
次に、蓋付容器１の飲料物の利用に際して、包装があれば取り除き、キャップ４を手指
でつかみ開栓方向に回すと、キャップ４のリブ９の丸み部９ａが傾斜カム５の傾斜面５ａ
における最低位に当たりリブ９の摺動が開始する。なおもキャップ４を回転させると、傾
斜面５ａに従いリブ９が上昇しそれに伴いキャップ４も上昇して容器口部３から徐々に離
れて、リブ９が傾斜面５ａにおける最高位に達する。リブ９が傾斜面５ａの最高位に達し
たことは、キャップ４のインナーリング８外周面におけるリング状凸部２１のトップ面２
１ａが、容器口部３の上端面３ｂより上に上昇していることになるから、後は僅かな外力
によりキャップ４を容器口部３から外すことが出来、開栓が完了する。
【００２３】
なお、容器２内に飲料物が残っている場合、容器口部３にキャップ４の嵌合部２０をあ
てがい、容器口部３の傾斜カム５にキャップ４のリブ９が当たらないように打栓すれば、容器２を再密封することが出来、飲料物のこぼれと汚染を防ぐことが出来る。しかし、打
栓の容易性を考慮すると、キャップ４を閉栓方向側に回しながら打栓するか、或いは、リ
ブ９の下面に傾斜カム５と同方向の傾斜面を設ければよい。この傾斜面は傾斜カム５の傾
斜角度と略同等に設けることが好ましい。再び、飲料物を利用したい場合は既述のとおり
開栓すればよい。
【００２４】
以上、本発明の実施例１を説明したが、具体的な構成はこれに限定されず、本発明の要
旨を逸脱しない範囲での変更は適宜可能であることは理解されるべきである。
【産業上の利用可能性】
【００２５】
本発明の蓋付容器は、嵌合密封作業が容易に出来且つその密封保持性も確実なのに、簡
易に開封出来る、という相反することが同時に要求される場合に高い利用可能性があり、
その上、嗜好性の高い飲料物を官能的に飲み易い容器を得たい場合に極めて高い利用可能
性がある。
【図面の簡単な説明】
【００２６】
【図１】本発明の実施の形態を示す蓋付容器の縦断面図である。
【図２】図１の蓋付容器における容器の平面図である。
【図３】図１の蓋付容器におけるキャップの半裁縦断面図である。
【図４】図３のキャップの底面図である。
【図５】図１の蓋付容器の要部を拡大した断面図である。
【図６】従来例を示す正面図である。
【図７】従来例を示す断面図である。
【符号の説明】
【００２７】
１                        蓋付容器
２，５０                  容器
３，５１                  口部
３ａ                      外周端部
３ｂ                      上端面
４，５２                  キャップ
５                        傾斜カム
５ａ                      傾斜面
６，５３                  天面壁
７，５４                  スカート壁
８                        インナーリング
９                        リブ
９ａ                      丸み部
１０                      上部内周面
１１                      第一段部
１２                      中間内周面
１３                      第二段部
２０                      嵌合部
２１，２２                リング状凸部
２１ａ                    トップ面
２３                      スベリ止め
５５                      把持片
５６                      破断ライン
５６ａ                    切欠
５６ｂ                    スリット
５７                      補強変形部
５８                      玉縁
Ｈ                        軸方向高さ
Ｌ                        軸方向長さ
【図１】
0004937019.tif 000002
【図２】
0004937019.tif 000003
【図３】
0004937019.tif 000004
【図４】
0004937019.tif 000005
【図５】
0004937019.tif 000006
【図６】
0004937019.tif 000007
【図７】
0004937019.tif 000008